(57)【特許請求の範囲】
【請求項１】
表示パネルに対応して配置されている指センサを有する携帯端末装置であって、
指紋認証をするための１又は複数の基準指紋情報が、セキュリティ設定された特定機能毎に対応付けされて事前に登録された記憶手段と、
前記セキュリティ設定された特定機能を示す機能情報が前記表示パネルに表示されている状態において、この機能情報の表示位置を指で指示する指示操作が行われたことが前記指センサによって検出された際に、当該特定機能を選択する機能選択手段と、
前記指示操作による特定機能の選択時に、当該指示操作を行った指の指紋情報を前記指センサから読み取ると共に、前記指示操作によって選択された特定機能に対応して登録された基準指紋情報を前記記憶手段から読み出して、前記指センサから読み取った指紋情報に一致する基準指紋情報がその選択した特定機能に対応して登録されているかを調べ、前記指センサから読み取った指紋情報に一致する基準指紋情報がその選択した特定機能に対応して登録されている場合に、前記選択された特定機能のセキュリティ設定を解除すると判別する判別手段と、
この判別手段によってセキュリティ設定を解除すると判別された際に、このセキュリティ設定を解除して当該特定機能の処理を実行する処理実行手段と、
を具備したことを特徴とする携帯端末装置。
【請求項２】
前記携帯端末装置は、外部読取装置と非接触通信を行う非接触ＩＣカード部を有し、
前記セキュリティ設定された特定機能は、電子マネー機能であり、
前記処理実行手段は、前記電子マネー機能の処理として、前記外部読取装置と非接触ＩＣカード部との間で非接触通信を行うことにより電子決済処理を実行する、
ようにしたことを特徴とする請求項１記載の携帯端末装置。
【請求項３】
前記セキュリティ設定された特定機能は、特定アプリケーション機能であり、
前記処理実行手段は、前記特定アプリケーション機能の処理として当該アプリケーション処理を実行する、
ようにしたことを特徴とする請求項１記載の携帯端末装置。
【請求項４】
前記セキュリティ設定された複数の特定機能に対応してその機能情報が前記表示パネルに表示されている状態において、前記処理実行手段は、前記複数の特定機能の中から前記機能選択手段によって選択された特定機能の処理を実行する、
ようにしたことを特徴とする請求項１記載の携帯端末装置。
【請求項５】
外部読取装置との非接触通信によって起動する非接触ＩＣカード部を有するほか、表示パネルに対応して配置されている指センサを有する携帯端末装置であって、
指紋認証をするための１又は複数の基準指紋情報が、電子マネー機能に対応付けされて事前に登録された記憶手段と、
前記電子マネー機能を示す機能情報が前記表示パネルに表示されている状態において、前記非接触ＩＣカード部が起動され、かつ、電子マネー機能の機能情報の表示位置を指で指示する指示操作が行われたことが前記指センサによって検出された際に、当該電子マネー機能を選択する機能選択手段と、
前記指示操作による電子マネー機能の選択時に、当該指示操作を行った指の指紋情報を前記指センサから読み取ると共に、前記指示操作によって選択された電子マネー機能に対応して登録された基準指紋情報を前記記憶手段から読み出して、前記指センサから読み取った指紋情報に一致する基準指紋情報がその選択した電子マネー機能に対応して登録されているかを調べ、前記指センサから読み取った指紋情報に一致する基準指紋情報がその選択した電子マネー機能に対応して登録されている場合に、前記選択された電子マネー機能の電子決済処理を実行する処理実行手段と、
を具備したことを特徴とする携帯端末装置。
【請求項６】
複数種の電子マネー機能に対応してその機能情報が前記表示パネルに表示されている状態において、前記処理実行手段は、前記複数種の電子マネー機能の中から前記機能選択手段によって選択された電子マネー機能の電子決済処理を実行する、
ようにしたことを特徴とする請求項５記載の携帯端末装置。
【請求項７】
前記機能選択手段によって選択された電子マネー機能に対応する外部サーバに指紋認証を依頼すると共に、前記指示操作によって読み取られた指紋情報を前記外部読取装置を介して前記外部サーバに送信することで、当該外部サーバ側で指紋認証処理を実行させる送信手段を更に設け、
たことを特徴とする請求項５記載の携帯端末装置。
【請求項８】
コンピュータに対して、
指紋認証をするための１又は複数の基準指紋情報をセキュリティ設定された特定機能毎に対応付けて事前に登録する機能と、
前記セキュリティ設定された特定機能を示す機能情報が表示パネルに表示されている状態において、この機能情報の表示位置を指で指示する指示操作が行われたことが前記表示パネルに対応して配置されている指センサによって検出された際に、当該特定機能を選択する機能と、
特定機能の選択時に、当該指示操作を行った指の指紋情報を前記指センサから読み取ると共に、前記指示操作によって選択された特定機能に対応して登録された基準指紋情報を読み出して、前記指センサから読み取った指紋情報に一致する基準指紋情報がその選択した特定機能に対応して登録されているかを調べ、前記指センサから読み取った指紋情報に一致する基準指紋情報がその選択した特定機能に対応して登録されている場合に、前記選択された特定機能のセキュリティ設定を解除するか否かを判別する機能と、
セキュリティ設定を解除すると判別された際に、このセキュリティ設定を解除して当該特定機能の処理を実行する機能と、
を実現させるためのプログラム。
【請求項９】
コンピュータに対して、
指紋認証をするための１又は複数の基準指紋情報を電子マネー機能に対応付けて事前に登録する機能と、
前記電子マネー機能を示す機能情報が表示パネルに表示されている状態において、外部読取装置との非接触通信によって非接触ＩＣカード部が起動され、かつ、電子マネー機能の機能情報の表示位置を指で指示する指示操作が行われたことが前記表示パネルに対応して配置されている指センサによって検出された際に、当該電子マネー機能を選択する機能と、
前記指示操作による電子マネー機能の選択時に、当該指示操作を行った指の指紋情報を前記指センサから読み取ると共に、前記指示操作によって選択された電子マネー機能に対応して登録された基準指紋情報を読み出して、前記指センサから読み取った指紋情報に一致する基準指紋情報がその選択した電子マネー機能に対応して登録されているかを調べ、前記指センサから読み取った指紋情報に一致する基準指紋情報がその選択した電子マネー機能に対応して登録されている場合に、前記選択された電子マネー機能の電子決済処理を実行する機能と、
を実現させるためのプログラム。
【発明の詳細な説明】
【技術分野】
【０００１】
この発明は、表示パネルに対応して配置されている指センサを有する携帯端末装置及びプログラムに関する。
【背景技術】
【０００２】
従来、携帯端末装置としての携帯電話装置は、その多機能化及び高級化が進み、例えば、表示パネルの上面には指センサ（透明タッチセンサ）を積層配置したタッチスクリーン（タッチ表示部）を備えたもの、あるいは外部読取装置と非接触通信を行う非接触ＩＣカード機能を備えたものが実用化されている。この非接触ＩＣカード機能は、電子決済（電子マネー）機能としても利用可能であり、例えば、クレジットカード会社毎にその会社情報が記憶されている状態において、そのいずれかのカード会社が選択指定されると、選択されたカード会社に基づいてその電子決済を行うようにした技術が知られている（特許文献１参照）。この場合、電子決済では、本人以外の不正使用を防止するために、電子決済時にパスワード入力や指紋採取をユーザに対して要求して指紋認証を行うようにするのが一般であり、上述した特許文献１の技術にあっても、カード会社の選択後に暗証番号の入力を要求した上で電子決済を行うようにしている。
【特許文献１】特開２００２−２７９３２０号公報
【発明の開示】
【発明が解決しようとする課題】
【０００３】
このように複数種のカードの中から所望するカードを選択して電子決済を行う場合に、カードの選択操作と指紋の入力操作とを別個に行う必要があるため、電子決済時における操作の煩雑化を招いていた。
このことは電子決済を行う場合に限らず、各種のアプリケーション機能を備えた携帯電話装置では、複数のアプリケーション機能の中から所望する機能を選択指定する際にも同様であり、機能の選択操作と指紋の入力操作とを別個に行う必要があった。
【０００４】
この発明の課題は、機能の選択操作と指紋認証を行うための入力操作とを同時に行うことができるようにする。
【課題を解決するための手段】
【０００５】
請求項１記載の発明は、表示パネルに対応して配置されている指センサを有する携帯端末装置であって、指紋認証をするための１又は複数の基準指紋情報が、セキュリティ設定された特定機能毎に対応付けされて事前に登録された記憶手段と、前記セキュリティ設定された特定機能を示す機能情報が前記表示パネルに表示されている状態において、この機能情報の表示位置を指で指示する指示操作が行われたことが前記指センサによって検出された際に、当該特定機能を選択する機能選択手段と、前記指示操作による特定機能の選択時に、当該指示操作を行った指の指紋情報を前記指センサから読み取ると共に、前記指示操作によって選択された特定機能に対応して登録された基準指紋情報を前記記憶手段から読み出して、前記指センサから読み取った指紋情報に一致する基準指紋情報がその選択した特定機能に対応して登録されているかを調べ、前記指センサから読み取った指紋情報に一致する基準指紋情報がその選択した特定機能に対応して登録されている場合に、前記選択された特定機能のセキュリティ設定を解除すると判別する判別手段と、この判別手段によってセキュリティ設定を解除すると判別された際に、このセキュリティ設定を解除して当該特定機能の処理を実行する処理実行手段とを具備したことを特徴とする。
更に、コンピュータに対して、上述した請求項１記載の発明に示した主要機能を実現させるためのプログラムを提供する（請求項８記載の発明）。
【０００６】
なお、上述した請求項１記載の発明は次のようなものであってもよい。
前記携帯端末装置は、外部読取装置と非接触通信を行う非接触ＩＣカード部を有し、前記セキュリティ設定された特定機能は、電子マネー機能であり、前記処理実行手段は、前記電子マネー機能の処理として、前記外部読取装置と非接触ＩＣカード部との間で非接触通信を行うことにより電子決済処理を実行する（請求項２記載の発明）。
【０００７】
前記セキュリティ設定された特定機能は、特定アプリケーション機能であり、前記処理実行手段は、前記特定アプリケーション機能の処理として当該アプリケーション処理を実行する（請求項３記載の発明）。
【０００８】
前記セキュリティ設定された複数の特定機能に対応してその機能情報が前記表示パネルに表示されている状態において、前記処理実行手段は、前記複数の特定機能の中から前記機能選択手段によって選択された特定機能の処理を実行する（請求項４記載の発明）。
【００１１】
請求項５記載の発明は、外部読取装置との非接触通信によって起動する非接触ＩＣカード部を有するほか、表示パネルに対応して配置されている指センサを有する携帯端末装置であって、指紋認証をするための１又は複数の基準指紋情報が、電子マネー機能に対応付けされて事前に登録された記憶手段と、前記電子マネー機能を示す機能情報が前記表示パネルに表示されている状態において、前記非接触ＩＣカード部が起動され、かつ、電子マネー機能の機能情報の表示位置を指で指示する指示操作が行われたことが前記指センサによって検出された際に、当該電子マネー機能を選択する機能選択手段と、前記指示操作による電子マネー機能の選択時に、当該指示操作を行った指の指紋情報を前記指センサから読み取ると共に、前記指示操作によって選択された電子マネー機能に対応して登録された基準指紋情報を前記記憶手段から読み出して、前記指センサから読み取った指紋情報に一致する基準指紋情報がその選択した電子マネー機能に対応して登録されているかを調べ、前記指センサから読み取った指紋情報に一致する基準指紋情報がその選択した電子マネー機能に対応して登録されている場合に、前記選択された電子マネー機能の電子決済処理を実行する処理実行手段と、を具備したことを特徴とする。
更に、コンピュータに対して、上述した請求項５記載の発明に示した主要機能を実現させるためのプログラムを提供する（請求項９記載の発明）。
【００１２】
なお、上述した請求項５記載の発明は次のようなものであってもよい。
複数種の電子マネー機能に対応してその機能情報が前記表示パネルに表示されている状態において、前記処理実行手段は、前記複数種の電子マネー機能の中から前記機能選択手段によって選択された電子マネー機能の電子決済処理を実行する（請求項６記載の発明）。
【００１４】
前記機能選択手段によって選択された電子マネー機能に対応する外部サーバに指紋認証を依頼すると共に、前記指示操作によって読み取られた指紋情報を前記外部読取装置を介して前記外部サーバに送信することで、当該外部サーバ側で指紋認証処理を実行させる送信手段を更に設けた（請求項７記載の発明）。
【発明の効果】
【００１５】
この発明は、機能の選択操作と指紋認証を行うための入力操作とを同時に実行することができ、操作の簡素化のほか、機能の選択とその機能の処理を直ちに実行することができる。
【発明を実施するための最良の形態】
【００１６】
（実施例１）
以下、図１〜図４を参照して本発明の第１実施例を説明する。
この実施例は、携帯端末装置として携帯電話装置に適用した場合を例示したもので、図１は、この携帯電話装置の基本的な構成要素を示したブロック図である。
この携帯電話装置は、例えば、２つの筐体（操作部筐体、表示部筐体）が開閉可能に取り付けられた折り畳み自在なもので、通話機能、電子メール機能、インターネット接続機能（Ｗｅｂアクセス機能）などのほか、セキュリティ設定された特定アプリケーション機能が備えられている。ここで、特定アプリケーション機能としては、例えば、スケジュール管理を行うスケジュール帳機能、電子メールの発着信履歴を記憶管理するメール履歴機能などである。
【００１７】
ＣＰＵ１は、記憶部２内の各種のプログラムに応じてこの携帯電話装置の全体動作を制御する中核的な中央演算処理装置である。記憶部２は、内部メモリであり、プログラム領域とデータ領域とを有し、このプログラム領域には、後述する図４に示す動作手順に応じて本実施例を実現するためのプログラムが格納され、データ領域には後述する指紋テーブルＦＴ、登録パスワードＰＷが格納されている。記録メディア３は、着脱自在な可搬型メモリで、例えば、ＳＤカード、ＩＣカードなどによって構成されている。メモリ４は、ワーク領域を有する内部メモリであり、必要に応じてメモリ４内の各種のデータは、記憶部２にセーブされる。
【００１８】
電話通信部５は、無線部を構成するアンテナに接続された送受信部（ベースバンド部）の受信側から信号を取り込んで受信ベースバンド信号に復調したのち、音声制御部６を介して受話スピーカＳＰから音声出力させる。また、電話通信部５は、送話マイクＭＣからの入力音声を音声制御部６から取り込み、送信ベースバンド信号に符号化したのち、送受信部の送信側に与えてアンテナから発信出力させる。一方、電子メール機能、インターネット接続機能によって電話通信部５を介して受信取得した表示データは、指センサ付き表示部７に与えられて表示出力される。
【００１９】
指センサ付き表示部７は、高精細液晶あるいは有機ＥＬなどを使用した表示パネルを有するもので、図２に示すように、この表示パネルＤＰの上面には指センサ（透明タッチセンサ）ＦＣが積層配置されている。図２は、各種のアプリケーション機能の中から任意の機能を選択するメニュー画面の内容を例示するほか、指センサ付き表示部７の構成を説明するための図である。この指センサ付き表示部７にスケジュール帳機能、メール履歴機能などに対応してその機能名が一覧表示されている状態において、何れかの機能名の表示位置が指でタッチされると、表示・操作制御部８は、そのタッチ位置と共にタッチ有り信号を出力するほか、その指紋の凹凸に応じた電荷量を電圧値に変換したデジタル画像（指紋情報）を得てＣＰＵ１に与える。ＣＰＵ１は、表示・操作制御部８からのタッチ有り信号に基づいてそのタッチ位置に対応する機能を起動対象として選択するほか、今回のタッチ操作で得られた指紋情報と予め指紋認証用として登録されている基準指紋情報との特徴部分（指紋中心点、分岐点、端点、三角州など）を比較し、両者が特徴的に一致するか否かに基づいて指紋認証を行うようにしている。
【００２０】
操作部９は、ダイヤル入力、文字入力、コマンド入力などを行うもので、ＣＰＵ１は、操作部９からのキー入力信号に応じた処理を実行する。報知部１０は、サウンドスピーカ、ＬＥＤ（発光ダイオード）、振動モータを備え、着信報知のほか、アラーム報知時にも駆動される。非接触ＩＣカード部１１は、電子マネー機能などを構成するもので、メモリ部１１Ａ、コイルアンテナ部１１Ｂ、専用ＣＰＵ１１Ｃを備え、ＩＣリーダライタ装置（外部読取装置）２１との間で微弱電波による非接触通信を行う。なお、このＩＣリーダライタ装置２１は、ＩＣリーダライタを備えた端末装置（例えば、店舗側の会計装置など）である。また、コイルアンテナ部１１Ｂは、電波を送受信すると共に、受信電波によって電磁誘導される起電力を非接触ＩＣカード部１１の動作電力とするもので、専用ＣＰＵ１１Ｃは、コイルアンテナ部１１Ｂからの起電力に基づいて起動し、電子マネー機能などの動作を制御する。
【００２１】
図３は、指紋テーブルＦＴを説明するための図である。
指紋テーブルＦＴは、各種のアプリケーション機能のうち、セキュリティ設定された特定アプリケーション機能毎に、予め登録された指紋認証用の指紋情報（指紋認証時に比較基準となる基準指紋情報）を記憶するほか、この機能対応の指紋情報のほか、端末対応の指紋情報を記憶する構成となっている。機能対応の指紋情報は、機能毎に異なる基準指紋情報を使用して指紋認証を行うことができるように機能毎に登録された指紋情報であり、例えば、図示のように、スケジュール帳機能に対応して指紋情報Ａ、Ｂが登録され、メール履歴機能に対応して指紋情報Ａが登録されている。この場合、携帯電話装置を家族の一部でも使用可能とするために、例えば、ユーザ本人の指紋情報Ａに対して指紋情報Ｂを母親としてもよい。また、端末対応の指紋情報は、上述したスケジュール帳機能、メール履歴機能…以外の機能（セキュリティ設定されたアプリケーション機能）に対応して登録された指紋情報であり、図示の例では指紋情報Ｃが登録されている。
【００２２】
次に、この第１実施例における携帯電話装置の動作概念を図４に示すフローチャートを参照して説明する。ここで、このフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。このことは後述する他の実施例においても同様であり、記録媒体のほかに、伝送媒体を介して外部供給されたプログラム／データを利用してこの実施例特有の動作を実行することもできる。
【００２３】
図４は、電源投入に伴って実行開始される携帯電話装置の全体動作を示したフローチャートである。
先ず、ＣＰＵ１は、電話通信部５を作動させて現在位置を登録する待受処理を行うと共に、所定の待受画像を読み出して表示出力させながら電話／メールの待受状態となる（ステップＡ１）。この状態において、電話／メール着信有りを検出すると（ステップＡ２でＹＥＳ）、着信メロディなどを発生する着信報知を行うと共に、電話あるいはメールの着信処理を実行する（ステップＡ３）。
【００２４】
また、待受状態において、何らかの操作が行われると（ステップＡ４でＹＥＳ）、各種の機能名を一覧表示する機能メニューの表示を指示する操作であるかを調べ（ステップＡ５）、それ以外の操作であれば（ステップＡ５でＮＯ）、その操作に対応する処理として、例えば、発信処理、メール作成処理などを実行するが（ステップＡ６）、機能メニューの表示を指示する操作であれば（ステップＡ５でＹＥＳ）、表示部７を構成する表示パネルＤＰに機能メニューを表示させる（ステップＡ７）。
【００２５】
ここで、図２に示すように、スケジュール帳機能、メール履歴機能などに対応してその機能名が表示パネルＤＰに一覧表示されている状態において、ＣＰＵ１は表示・操作制御部８からのタッチ有り信号を監視している。いま、メニュー画面上の表示位置がタッチ操作されると（ステップＡ８でＹＥＳ）、そのタッチ位置は機能名の表示位置かを調べ（ステップＡ９）、機能名表示以外の領域がタッチされた場合には（ステップＡ９でＮＯ）、そのタッチを無効とするために上述の待受状態に戻るが（ステップＡ１）、機能名表示領域がタッチされたときには（ステップＡ９でＹＥＳ）、そのタッチ位置に対応する機能を起動対象として選択する（ステップＡ１０）。
【００２６】
このようにメニュー画面から選択された機能は、スケジュール帳機能、メール履歴機能などのようにセキュリティ設定されている特定アプリケーション機能かを調べる（ステップＡ１１）。ここで、例えば、カレンダ機能のようにセキュリティ設定されていないアプリケーション機能が選択されたときには（ステップＡ１１でＮＯ）、その機能の選択に応じて当該アプリケーション処理を直ちに開始したのち（ステップＡ１２）、その処理の終了が指示されるまで当該処理を継続する（ステップＡ１２、Ａ１３）。
【００２７】
また、セキュリティ設定されているアプリケーション機能が選択された場合には（ステップＡ１１でＹＥＳ）、機能選択時のタッチ操作によって検出された今回の指紋情報を表示・操作制御部８から読み取ると共に（ステップＡ１４）、選択機能に基づいて指紋テーブルＦＴを検索し、選択機能対応の基準指紋情報が登録されているか否かを調べる（ステップＡ１５）。その結果、該当する基準指紋情報が登録されていなければ（ステップＡ１５でＮＯ）、指紋テーブルＦＴから端末対応の指紋情報を読み出すが（ステップＡ１６）、選択機能対応の基準指紋情報が登録されていれば（ステップＡ１５でＹＥＳ）、当該基準指紋情報を読み出す（ステップＡ１７）。
【００２８】
そして、今回のタッチ操作で検出された指紋情報と指紋テーブルＦＴから読み出した基準指紋情報とを比較し（ステップＡ１８）、両者は特徴的に一致するかを調べる（ステップＡ１９）。その結果、両者が不一致の場合には（ステップＡ１９でＮＯ）、パスワード入力を促すメッセージを表示させ（ステップＡ２０）、それに応じて入力されたパスワードと本人認証用として予め登録されている登録パスワードＰＷとを比較して本人認証を行う（ステップＡ２１）。ここで、両パスワードが不一致であれば（ステップＡ２１でＮＯ）、今回の機能選択操作を無効とするためにエラー報知を行ったのち（ステップＡ２２）、上述の待受処理に戻る（ステップＡ１）。
【００２９】
一方、指紋認証の結果、両者が一致する場合（ステップＡ１９でＹＥＳ）あるいはパスワード認証の結果、両者が一致する場合には（ステップＡ２１でＹＥＳ）、選択機能のセキュリティ設定を一時解除することによって当該機能を起動可能とする（ステップＡ２３）。そして、この選択機能のアプリケーション処理を開始したのち（ステップＡ２４）、その機能終了が指示されるまで当該アプリケーション処理を継続する（ステップＡ２４、Ａ２５）。ここで、機能終了が指示されると（ステップＡ２５でＹＥＳ）、上述のように一時的に解除したセキュリティ設定を元の状態に復活させる（ステップＡ２６）。その後、上述の待受処理に戻る（ステップＡ１）。
【００３０】
以上のように、この第１実施例においてＣＰＵ１は、セキュリティ設定された特定アプリケーション機能が指センサ付き表示部７に表示されている状態において、この機能の表示位置に対する指示操作が行われた際に、当該アプリケーション機能を選択すると共に、この指示操作に伴って読み取った指紋情報に基づいて指紋認証を実行し、この認証結果に基づいてセキュリティ設定を解除して当該特定機能のアプリケーション処理を行うようにしたので、機能の選択操作と指紋認証を行うための入力操作とを同時に行うことができ、操作の簡素化のほか、機能の選択とその機能の処理を直ちに実行することができる。
【００３１】
セキュリティ設定された特定機能として、例えば、スケジュール帳機能、メール履歴機能などのアプリケーション機能が選択された場合に、ＣＰＵ１は、当該アプリケーション処理を実行するようにしたので、機能の選択操作を行うだけでスケジュール帳、メール履歴などを直ちに閲覧することが可能となる。
【００３２】
メニュー画面に一覧表示されている複数の機能名の中から所望する機能を選択することによってその機能のアプリケーション処理を実行するようにしたから、ユーザにあっては所望する機能を容易に見つけてそれを選択することができる。
【００３３】
指紋認証用としての基準指紋情報が登録されている状態において、ＣＰＵ１は、今回のタッチ操作で得られた指紋情報と指紋テーブルＦＴから読み出した基準指紋情報とを比較し、両者が特徴的に一致するか否かに基づいて指紋認証を行うようにしたので、携帯電話装置側で指紋認証を行うことができる。この指紋テーブルＦＴには、各機能に対応して基準指紋情報が記憶されているので、機能毎に異なる指紋認証を行うことができる。
【００３４】
なお、上述した第１実施例では、特定アプリケーション機能として、スケジュール帳機能、メール履歴機能を例示したが、例えば、専用ＩＣチップに貨幣価値データを記憶したＩＣカード型の電子マネー機能、通信相手毎にその相手情報を記憶管理するアドレス帳機能などであってもよく、第三者の使用を制限するためにセキュリティ設定されたアプリケーション機能であれば任意である。
（実施例２）
【００３５】
以下、この発明の第２実施例について図５〜図８を参照して説明する。
なお、上述した第１実施例においては、セキュリティ設定された特定機能として例えば、スケジュール帳機能、メール履歴機能などを例示したが、この第２実施例においては、セキュリティ設定された特定機能として電子マネー機能に特化した場合であり、複数種の電子マネー（プリペイド式の複数種の電子マネー、クレジット式の複数種の電子マネー）の中からそのいずれかの電子マネー種を選択して利用可能としたものである。
【００３６】
すなわち、この第２実施例の携帯電話装置においては、指センサ付き表示部７に電子マネー機能が表示されていると共に、携帯電話装置をＩＣリーダライタ装置２１にかざすことによって非接触ＩＣカード部１１が起動している状態において、電子マネー機能の表示位置に対する指示操作が行われた際に、指示された電子マネー機能の選択と共に、指紋認証に基づく電子決済処理を行うようにしたものである。なお、携帯電話装置側での電子決済処理とは、ＩＣリーダライタ装置２１を介して決済要求を行い、その処理結果をＩＣリーダライタ装置２１を介して受信して記憶する処理である。
ここで、両実施例において基本的あるいは名称的に同一のものは、同一符号を付して示し、その説明を省略すると共に、以下、第２実施例の特徴部分を中心に説明するものとする。
【００３７】
図５は、携帯電話装置の通信ネットワークシステムを示したブロック図である。
携帯電話装置１０１は、最寄りの基地局１０２、交換機１０３を介して無線通信網（公衆移動体通信網）１０４に接続されているほか、この無線通信網１０４を介して広域通信網１０５に接続可能となっている。ＩＣリーダライタ装置（外部読取装置）２１は、ＩＣリーダライタを備えた端末装置（例えば、店舗側の会計装置）であり、広域通信網１０５を介してクレジット会社側の管理サーバ１０６あるいは金融機関側の管理サーバ１０７に接続可能となっている。なお、クレジット会社側の管理サーバ１０６は、ユーザ毎に予め登録されている指紋情報（基準指紋情報）を記憶管理しており、携帯電話装置１０１から無線通信網１０４、広域通信網１０５を介して送信されてきた指紋情報を受信すると、この指紋情報と基準指紋情報とを比較して本人認証を行い、正規なユーザであることを認証した場合には、電子決済を行ってその処理結果を携帯電話装置１０１に送信するようにしている。
【００３８】
図６及び図７は、第２実施例において、電源投入に伴って実行開始される携帯電話装置１０１の全体動作を示したフローチャートである。
先ず、ＣＰＵ１は、電話通信部５を作動させて現在位置を登録する待受処理を行うと共に、所定の待受画像を読み出して表示出力させながら電話／メールの待受状態となる（ステップＢ１）。この状態において、電話／メール着信有りを検出すると（ステップＢ２でＹＥＳ）、着信メロディなどを発生する着信報知を行うと共に、電話あるいはメールの着信処理を実行する（ステップＢ３）。
【００３９】
また、待受状態において、何らかの操作が行われると（ステップＢ４でＹＥＳ）、所望する動作モードを指定するためのモード切替操作によって電子マネーモードへの切り替えが指示されたかを調べ（ステップＢ５）、それ以外の操作であれば（ステップＢ５でＮＯ）、その操作に対応する処理として、例えば、発信処理、メール作成処理などを実行するが（ステップＢ６）、電子マネーモードへの切替操作が行われた場合には（ステップＢ５でＹＥＳ）、電子マネーモードに切り替えたのち、指センサ付き表示部７を構成する表示パネルＤＰに電子マネー種を一覧表示させると共に（ステップＢ７）、この一覧画面に操作メッセージを案内表示させる（ステップＢ８）。
【００４０】
図８は、電子マネー種の一覧画面を示した図である。
この電子マネー種の一覧画面は、電子マネー種として「Ａ」、「Ｂ」、「Ｃ」が一覧表示されるほか、使用するマネー種の表示位置をタッチしたまま携帯電話装置１０１をＩＣリーダライタ装置２１にかざして下さいという内容の操作メッセージが表示されるもので、携帯電話装置１０１をＩＣリーダライタ装置２１にかざすと、このＩＣリーダライタ装置２１からの受信電波によって非接触ＩＣカード部１１が起動し、この起動検出に応じて（ステップＢ９）、ＣＰＵ１は、現在の動作モードを調べ、電子マネーモードに切り替えられているかをチェックする（ステップＢ１０）。
【００４１】
いま、電子マネーモード以外で非接触ＩＣカード部１１が起動した場合には（ステップＢ１０でＮＯ）、例えば、交通機関のゲート通過処理などを実行するが（ステップＢ１１）、電子マネーモード下で非接触ＩＣカード部１１が起動した場合には（ステップＢ１０でＹＥＳ）、ＣＰＵ１は表示・操作制御部８からのタッチ有り信号に基づいてタッチ操作の有無を調べる（ステップＢ１２）。ここで、タッチ操作が無ければ（ステップＢ１２でＮＯ）、非接触ＩＣカード部１１の起動を無効とすることを知らせるエラー表示を行ったのち（ステップＢ１３）、上述の待受状態に戻るが（ステップＢ１）、電子マネー種の一覧画面において、今回利用するマネー種を選択するためにその表示位置がタッチ操作されると（ステップＢ１２でＹＥＳ）、そのタッチ位置に対応するマネー種を今回利用の電子マネーとして選択する（ステップＢ１４）。
【００４２】
そして、マネー種選択時のタッチ操作で検出された今回の指紋情報を表示・操作制御部８から読み取ったのち（ステップＢ１５）、図７のフローに移り、選択された電子マネー種は、プリペイド式の電子マネーであるかを調べる（ステップＢ１６）。いま、クレジット式の電子マネーが選択された場合には（ステップＢ１６でＮＯ）、選択されたマネー種対応のクレジット会社を宛先として、電子決済処理を要求する決済要求と共に、指紋認証を依頼するために今回の指紋情報をＩＣリーダライタ装置２１を介して送信する（ステップＢ１７）。これによってＩＣリーダライタ装置２１と当該クレジット会社側の管理サーバ１０６とが広域通信網１０５を介して接続される。
【００４３】
なお、クレジット会社側の管理サーバ１０６においては、携帯電話装置１０１からの指紋情報と予め登録されている基準指紋情報とを比較する指紋認証を行うと共に、この認証の結果、正規なユーザからの決済要求であることを条件に決済処理を実行し、その処理結果を当該要求元に対して送信する。携帯電話装置１０１は、この決済処理の結果を受信すると、決済処理が正常に完了したことを示すＯＫ応答を受信したかを調べる（ステップＢ２２）。ここで、ＯＫ応答を受信しなければ（ステップＢ２２でＮＯ）、エラー表示を行って（ステップＢ２４）、上述の待受状態に戻るが（図６のステップＢ１）、ＯＫ応答を受信した場合には（ステップＢ２２でＹＥＳ）、受信した決済処理の結果を支払済み結果として記憶する（ステップＢ２３）。
【００４４】
一方、上述のタッチ操作によって選択された電子マネー種がプリペイド式の電子マネーであれば（ステップＢ１６でＹＥＳ）、予め登録されている基準指紋情報として、例えば、指紋テーブルＦＴから端末対応の指紋情報を読み出し（ステップＢ１８）、この基準指紋情報と今回読み取った指紋情報とを比較し（ステップＢ１９）、両者は特徴的に一致するかを調べる（ステップＢ２０）。その結果、両者が不一致の場合には（ステップＢ２０でＮＯ）、エラー表示を行って（ステップＢ２４）、上述の待受状態に戻るが（図６のステップＢ１）、両者が一致する場合には（ステップＢ２０でＹＥＳ）、選択されたマネー種対応の金融機関を宛先として、電子決済の要求をＩＣリーダライタ装置２１を介して送信する（ステップＢ２１）。これによってＩＣリーダライタ装置２１と当該金融機関側の管理サーバ１０７とが広域通信網１０５を介して接続される。
【００４５】
なお、金融機関側の管理サーバ１０７においては、決済処理を実行してその処理結果を当該要求元に対して送信する。携帯電話装置１０１は、この決済処理の結果を受信すると、決済処理が正常に完了したことを示すＯＫ応答を受信したかを調べ（ステップＢ２１２、ＯＫ応答でなければ（ステップＢ２２でＮＯ）、エラー表示を行って（ステップＢ２４）、上述の待受状態に戻るが（図６のステップＢ１）、ＯＫ応答を受信した場合には（ステップＢ２２でＹＥＳ）、受信した決済処理の結果を支払済み結果として記憶する（ステップＢ２３）。
【００４６】
以上のように、この第２実施例は、電子マネー機能が表示されていると共に、携帯電話装置１０１をＩＣリーダライタ装置２１にかざすことによって非接触ＩＣカード部１１が起動している状態において、電子マネー機能の表示位置に対する指示操作が行われた際に、指示された電子マネー機能の選択と共に、指紋認証に基づく電子決済処理を直ちに行うことができる。
【００４７】
複数種の電子マネーが表示されている状態において、この複数種の電子マネーの中から選択された電子マネーに対する電子決済処理を行うようにしたから、例えば、プリペイド式、クレジット式など、複数種の電子マネーの中から所望するマネー種を選択して利用することができる。
【００４８】
指紋認証用としての基準指紋情報が登録されている状態において、ＣＰＵ１は、今回のタッチ操作で得られた指紋情報と基準指紋情報とを比較し、両者が特徴的に一致するか否かに基づいて指紋認証を行うようにしたので、携帯電話装置１側で指紋認証を行うことができる。
【００４９】
携帯電話装置１０１は、タッチ操作によって選択された電子マネー種に対応するクレジット会社を宛先として、電子決済処理の実行を要求する決済要求と共に、今回の指紋情報をＩＣリーダライタ装置２１を介して送信するようにしたので、クレジット会社側の管理サーバ１０６に指紋認証を依頼することができる。
【００５０】
なお、上述した各実施例においては、表示パネルＤＰの上面に指センサ（透明タッチセンサ）ＦＣを積層配置し、任意の表示位置を指でタッチするようにしたが、指センサは、タッチセンサに限らず、指が接近したことを感知する近接センサ（例えば、光遮断センサなど）であってもよい。
【００５１】
また、上述した第１実施例においては、セキュリティ設定された特定機能を示す機能情報として「機能名」を一覧表示するようにしたが、この特定機能をアイコンによって表示するようにしてもよい。同様に、上述した第１実施例においては、複数の電子マネー種（種類名）一覧表示するようにしたが、電子マネー種をアイコンによって表示するようにしてもよい。その他、携帯電話装置に限らず、例えば、ＰＤＡ、携帯型パーソナルコンピュータ（ＰＣ）、電子カメラ、電子腕時計、音楽再生機などの携帯端末装置であっても同様に適用可能である。
【図面の簡単な説明】
【００５２】
【図１】携帯端末装置として適用した携帯電話装置の基本的な構成要素を示したブロック図。
【図２】各種のアプリケーション機能の中から任意の機能を選択するメニュー画面の内容を例示するほか、指センサ付き表示部７の構成を説明するための図。
【図３】指紋テーブルＦＴを説明するための図。
【図４】電源投入に伴って実行開始される携帯電話装置の全体動作を示したフローチャート。
【図５】第２実施例において、携帯電話装置１０の通信ネットワークシステムを示したブロック図。
【図６】第２実施例において、電源投入に伴って実行開始される携帯電話装置１０１の全体動作を示したフローチャート。
【図７】図６に続く、フローチャート。
【図８】第２実施例において、電子マネー種の一覧画面を示した図。
【符号の説明】
【００５３】
１  ＣＰＵ
２  記憶部
５  電話通信部
７  指センサ付き表示部
８  表示・操作制御部
９  操作部
１１  非接触ＩＣカード部
２１  ＩＣリーダライタ装置
１０１  携帯電話装置
１０４  無線通信網
１０５  広域通信網
１０６  クレジット会社側の管理サーバ
１０７  金融機関側の管理サーバ
ＦＴ  指紋テーブル
ＤＰ  表示パネル
ＦＣ  指センサ
【図１】
0005023389.tif 000002
【図２】
0005023389.tif 000003
【図３】
0005023389.tif 000004
【図４】
0005023389.tif 000005
【図５】
0005023389.tif 000006
【図６】
0005023389.tif 000007
【図７】
0005023389.tif 000008
【図８】
0005023389.tif 000009